(57)【要約】【課題】  従来、ＩＰ電話用モデムを内蔵したＶｏＩＰ電話機や、ＩＰ電話用モデム機器を外付けするＶｏＩＰ電話機や、インターネットのプロバイダーが供給するＴＡ（テレフォニーアダプター）などが提供されている。しかし、次の課題がある。（１）公衆電話回線用電話機とは、別にＶｏＩＰ用電話機を購入する必要が生じる。（２）プロバイダーが供給するＴＡは、公衆電話回線用電話機が接続可能であるが、電話会社のサービス；例えばモデムダイヤルインに対応していない。（３）いままでのＶｏＩＰ電話機は、ＶｏＩＰ電話の通信データの拡張的利用を考慮した設計にはなっていない。【解決手段】  ＡＤＳＬＭOＤＥＭ（モデム）とスプリッタを具備し、公衆電話回線と接続する接続手段を持ち、公衆電話回線を用いてＡＤＳＬおよび通常回線の双方の電話による通話を可能とするものである。【選択図】  図１
2006025103.tif 000002
【特許請求の範囲】
【請求項１】
市販されている一般的な公衆電話回線用電話機を接続する接続手段と、前記接続手段を切り換える切り換え手段と、アナログ音声信号をデジタル音声データに変換する変換手段と、デジタル音声データをアナログ音声信号に変換する変換手段と、デジタル音声データをＡＤＳＬモデムにパケットとして送出し、またＡＤＳＬモデムから来るパケットを受けるパケット送受信手段を持ち、Ｖ．２３に準拠したモデム信号を受信する受信手段と、公衆電話回線の極性を識別する極性識別手段と、相手の電話番号と名前を予め登録可能な相手先電話番号登録手段と、電話番号等を表示する表示手段と、公衆電話回線と接続する接続手段と、公衆電話回線より送られて来る電話番号データおよび相手名称データを音声信号に変換する変換手段と、音声変換された信号を音声出力する音声出力手段と、
前記音声出力手段の信号を通話信号に重畳する音声信号重畳手段を持ち、ＡＤＳＬモデムとスプリッタを具備し、スプリッタ出力の公衆電話回線の通話信号の入出力ラインと、前記デジタル信号をアナログ音声データに変換する変換手段の出力、および前記アナログ音声信号をデジタル信号に変換する変換手段の入力とを切り換えるＶｏＩＰ−公衆電話回線切り換え手段を持つＶｏＩＰ電話用アダプター。
【請求項２】
前記Ｖ．２３に準拠したモデム信号を受信する受信手段において、公衆電話回線を利用した発信者番号通知サービスに対応可能な手段を具備することを特徴としたＶｏＩＰ電話用アダプター。
【請求項３】
前記Ｖ．２３に準拠したモデム信号を受信する受信手段において、公衆電話回線を利用した発信者名称通知サービスに対応可能な手段を具備することを特徴としたＶｏＩＰ電話用アダプター。
【請求項４】
前記相手の電話番号と名前を予め登録可能な相手先電話番号登録手段に登録された相手より公衆電話回線を通して着信があった場合、前述の登録名を音声データとして音声出力部へ出力することを特徴としたＶｏＩＰ電話用アダプター。
【請求項５】
請求項４で記述した音声出力を通話信号に重畳し、使用者の通話信号にて発呼相手の情報を通知することを特徴としたＶｏＩＰ電話用アダプター。
【請求項６】
前記デジタル音声データをアナログ信号に変換する変換手段において、音声データに付記された発信者データをデコードするデコード手段をも具備し、そのデコードした発信者データを表示手段に表示することを特徴としたＶｏＩＰ電話用アダプター。
【請求項７】
ＬＡＮ接続手段を持つことで、ＰＣ等を接続可能とし、ＡＤＳＬモデムを利用してインターネット等の利用を可能としたＶｏＩＰ電話用アダプター。
【発明の詳細な説明】
【技術分野】
【０００１】
本発明は、ブロードバンドの代表的なＡＤＳＬを用いたＶｏＩＰ電話を行なうことはもとより、従来の公衆電話回線を用いる電話をも使用可能としたＶｏＩＰ電話用アダプターであり、公衆電話回線の発信者番号通知サービスおよび発信者名称通知サービスにも対応可能なＶｏＩＰ電話用アダプターに関するものである。
【背景技術】
【０００２】
近年、通信網がブロードバンド化し、大容量のデータの高速通信を可能にし、さらに通信料金も低価格化に進んできている。
【０００３】
これに伴い、ＶｏＩＰ電話が登場し、通信網の高速化により普及に拍車をかけている。ＶｏＩＰ電話の歴史が浅いため、従来の技術としては、ＩＰ電話用モデムを内蔵したＶｏＩＰ電話機や、ＩＰ電話用モデム機器を外付けするＶｏＩＰ電話機や、インターネットのプロバイダーが供給するＴＡ（テレフォニーアダプター）などが提供されている。
【発明の開示】
【発明が解決しようとする課題】
【０００４】
しかしながら、前記した従来のＶｏＩＰ電話機およびＶｏＩＰ用ＴＡでは、
（１）現在各家庭で用いられている公衆電話回線用電話機とは、別にＶｏＩＰ用電話機を購入する必要が生じる。
（２）またプロバイダーが供給するＴＡにおいては、公衆電話回線用電話機が接続可能であるが、その電話会社の電話サービス；例えば発信者番号通知サービス等のサービスに対応できないものが一般的であった。
（３）さらに、ＡＤＳＬを用いてのＶｏＩＰ電話での通話中、公衆電話回線からの着信があった場合、誰からの着信かをＶｏＩＰ電話使用中に確認することができない。
（４）いままでのＶｏＩＰ電話機は、ＶｏＩＰ電話の通信データの拡張的利用を考慮した設計にはなっていない。（通信データの送り主のデータ等の利用）という課題がある。
【課題を解決するための手段】
【０００５】
公衆電話回線用電話機を接続する接続手段を持ち、アナロク音声信号をデジタル信号データに変換する変換手段と、デジタル信号データをアナログ音声信号に変換する変換手段を持つため、音声データをＩＰパケットとして転送でき、ＩＰパケットとして送られてきた音声データをアナログ音声信号に変換可能としている。およびデジタル信号の付加データを表示部に表示することも可能としている。
【０００６】
このため、ＡＤＳＬを用いたＶｏＩＰ電話通話に対応できる。
【０００７】
公衆電話回線の極性を識別する極性識別手段を持ち、Ｖ．２３のモデム信号を受信し、デコードする手段を持ち、公衆電話回線より送られてくる発信者番号通知サービスおよび発信者名称通知サービスに対応可能となり、さらに相手先電話番号登録手段を持ち、公衆電話回線からの着信相手の情報を音声出力する手段を持つことで、ＶｏＩＰ電話使用時、公衆電話回線を用いての電話使用時でも相手との通話を良好に行なうことができる。
【０００８】
本発明は、ＡＤＳＬＭOＤＥＭ（モデム）とスプリッタを具備し、公衆電話回線と接続する接続手段を持ち、公衆電話回線を用いてＡＤＳＬおよび通常回線の双方の電話による通話を可能とするものである。
【発明の効果】
【０００９】
以上説明したように本発明は、ＡＤＳＬＭＯＤＭ（ＡＤＳＬモデム）とスプリッタを具備して、公衆電話回線に接続する手段を備え、音声信号をパケットデータに変換したりパケットデータを音声信号に変換する手段を持ち、電話会社の通常の電話回線にも対応する手段を持つために、公衆電話回線を用いてＡＤＳＬおよび通常回線の双方の電話による通話を行なうことができ、さらに電話会社が提供する発信者番号通知サービスや発信者名称通知サービスにも対応することができる。
【発明を実施するための最良の形態】
【００１０】
図１は、本発明の一実施例であるＶｏＩＰ電話用アダプターのブロック図である。
【００１１】
公衆電話回線１に接続し、スプリリッタ２で、通常の電話通信信号帯域とＡＤＳＬＭＯＤＥＭ３の使用する信号帯域に分離する。ＣＰＣ６は、ＲＯＭ７に格納された制御プログラムにしたがって装置全体を制御する。ＲＡＭ８は、ＣＰＵ６のワークエリアとして使用されるとともに、各種データが格納される。
【００１２】
極性識別部４は、公衆電話回線１の極性を検出し、Ｖ．２３受信部５は発信者番号通知サービスおよび発信者名称通知サービスで送られてくるＶ．２３データを受信し、デコードする。
【００１３】
パケット送受信部９は、これからパケットとして送出するためにアナログ音声デジタル信号変換部１０または音声パケットとして受信したデジタル信号を音声に変換するデジタル信号アナログ音声変換部１１に接続している。
【００１４】
相手先電話番号登録部１２は、予め電話番号とその電話番号の使用者の名前を登録する登録部である。
【００１５】
ＶｏＩＰ−公衆電話回線切り換え部１３は、接続電話機切り換え部１４からの信号を、ＶｏＩＰ電話としてか、公衆電話回線を利用する通話かを切り換えるものである。
【００１６】
音声信号重畳部１５は、音声信号出力部１６より出力された音声信号を、通話信号に重畳するものである。表示部１７は、ＶｏＩＰ電話用アダプターの現在の使用状況や、通話相手の電話番号および名前等を表示する。ＴＥＬ接続部１８は、従来公衆電話回線用に使用していた電話機を接続するものである。ＬＡＮ接続部１９は、ＰＣ（パーソナルコンピュータ）等ＬＡＮケーブルで接続するための接続部である。電源部２０は、本発明の各部分に電源を供給するものである。
【００１７】
ＶｏＩＰ電話を行なう場合について説明する。
【００１８】
ＴＥＬ接続部１８に接続された電話機から、０５０の局番で発呼動作を開始すると、接続電話切り換え部１４が、ＩＰ電話で通話すると判断して、ＣＰＵ６に検出データを送出する。ＣＰＵ６は、ＶｏＩＰ−公衆電話回線切り換え部１３を、アナログ音声デジタル信号変換部１０、デジタル信号アナログ音声変換部１１側に切り換える。発呼データは、アナログ音声デジタル信号変換部を経由して、パケット送受信部９を通り、ＡＤＳＬＭＤＭ３より、スプリッタ２、公衆電話回線１を通してプロバイダー：ＩＰＳに送られる。
【００１９】
プロバイダー：ＩＰＳを介して通話相手との呼が成立すると、相手の送話内容がデジタル信号のパケットデータとして送られてくる。
【００２０】
このパケットデータは公衆電話回線１を通り、スプリッタ２でＡＤＳＬＭＯＤＥＭ３側に分別される。
【００２１】
パケット送受信部９で受け取られたパケットデータは、デジタル信号アナログ音声変換部１１で音声信号に変換され、ＶｏＩＰ−公衆電話回線切り換え部１３、接続電話機切り換え部１４を経由してＴＥＬ接続部１８に接続された電話機の受話部に音声（相手の声）として出力される。
【００２２】
次に、ＴＥＬ接続部１８に接続した電話機から送話した場合について説明すると、送話信号は、ＴＥＬ接続部１８、接続電話切り換え部１４、ＶｏＩＰ−公衆電話回線切り換え部１３を通って、アナログ音声デジタル信号変換部１０に入力される。そこで、パケットデータに変換されパケット送受信部９を介して、ＡＤＳＬＭＯＤＥＭ３、スプリッタ２、公衆電話回線１を経由して、プロバイダー：ＩＰＳに送られる。これが、ＶｏＩＰ電話としての基本的な通話の説明である。
【００２３】
ＶｏＩＰ電話として使用している時に、公衆電話回線より着信がある場合について説明すると、以下のようになる。
【００２４】
上述したような経路で、ＶｏＩＰ通話を行なっている時に、公衆電話回線より着信が来ると、まず極性識別部４にて公衆電話回線の極性反転を検出する。
【００２５】
次に、起動信号が同じく公衆電話回線より送られて来る。
【００２６】
この起動信号は、Ｖ．２３受信部５にて検出し、次に送られて来るＶ．２３による相手のダイヤルデータや発信者名称通知サービスのデータ信号に対して、Ｖ．２３受信部は受信の準備を行なう。
【００２７】
送られてきた信号をＶ．２３受信部５がデコードし、その情報をＣＰＵ６に出力する。このＶ．２３受信部５からの出力された情報が、相手先電話番号登録部１２に予め登録されている情報（電話番号および登録名称）と一致した場合は、その登録名称を、また、一致しない情報であれば、送られてきた情報：発信者番号通知情報であれば、電話番号、発信者名称通知情報であれば名称の情報を、音声信号出力部１６へ出力する。音声信号出力部１６では、入力された情報を音声信号に変換して音声信号重畳部１５へ出力する。音声信号重畳部１５は、音声信号出力部１６より出力された音声信号を通話線上の現在通話している受話信号に重畳する。
【００２８】
例えば相手先電話番号登録部１２に予め登録されている  Ａさん  電話番号（０３）１２３−４５６である場合には、「Ａさんより  電話がきました。」と受話部より音声が聞こえるのである。
【００２９】
これにより、通話者は公衆電話回線に切り換える場合には、ＴＥＬ接続部１８に接続されている電話機より信号；例えばフッキング等を行なうことで、接続電話切り換え部１４が切り換え要求信号を検出し、ＣＰＵ６がＶｏＩＰ−公衆電話回線切り換え部１３を公衆電話回線側に切り換える動作を行なう。
【００３０】
この時、それまでＶｏＩＰ電話として通話していた相手には、保留音を送出するためアナログ音声デジタル信号変換部１０から保留音データがパケット送受信部９に出力され、ＡＤＳＬＭＯＤＥＭ３を経由してスプリッタ回路２、公衆電話回線１を通してＶｏＩＰ電話の通話相手側に転送される。公衆電話回線との通話が終了すると、通話者は再びＶｏＩＰ電話での通話を行なうために電話機より信号：例えばフッキング等を行なうことで、接続電話切り換え部１４、ＶｏＩＰ−公衆電話回線切り換え部１３により、ＶｏＩＰ電話による通話に切り換えるのである。
【００３１】
次に、従来より行なわれている公衆電話電話回線を用いての通話について説明する。ＴＥＬ接続部１６に接続された電話機より、０３−１２３−４５６７と発呼された場合、これは公衆電話回線を使用すると接続電話機切り換え部１４が判定し、CPU６は、ＶｏＩＰ−公衆電話回線切り換え部１３は、Ｖ．２３受信部４側に切り換える。
【００３２】
電話機から発呼されたダイヤルデータは、電話機切り換え部１４、ＶｏＩＰ−公衆電話回線切り換え部１３、Ｖ．２３受信部５、極性識別部４、スプリッタ２を介して、公衆電話回線１に送出される。
【００３３】
後は、従来の公衆電話回線を用いた通話なので詳細説明は、割愛する。
【００３４】
以上が、本発明の一実施例についての説明である。
【００３５】
図２は、本特許の一実施例の動作を示すフローチャートである。
【図面の簡単な説明】
【００３６】
【図１】本発明の一実施例を示した図面である。
【図２】本発明の一実施例に基づいたフローチャートである。
【符号の説明】
【００３７】
１  公衆電話回線
２  スプリッタ回路
３  ＡＤＳＬＭＤＯＥＭ（モデム）
４  極性識別部
５  Ｖ．２３受信部
６  ＣＰＵ
７  ＲＯＭ
８  ＲＡＭ
９  パケット送受信部
１０  アナログ信号デジタル信号変換部
１１  デジタル信号アナログ信号変換部
１２  相手電話番号登録部
１３  ＶｏＩＰ−公衆電話回線切り換え部
１４  接続電話切り換え部
１５  音声信号重畳部
１６  音声信号出力部
１７  表示部
１８  ＴＥＬ接続部
１９  ＬＡＮ接続部
２０  電源部
【図１】
2006025103.tif 000003
【図２】
2006025103.tif 000004